【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
感光体と、
光ビームを発光する発光手段と、
回転しながら前記光ビームを反射して前記感光体の表面に照射することで、前記感光体の表面に前記光ビームを走査して帯電された感光体に静電潜像を形成させるポリゴンミラーと、
前記感光体と転写ニップ部を形成し、転写電圧を印加されることにより、前記静電潜像にトナーが付着することで前記感光体上に形成されたトナー像を前記転写ニップ部で前記感光体から被転写媒体に転写する転写部材と、
前記発光手段の発光を制御し、前記ポリゴンミラーで反射した前記光ビームを非画像領域と前記感光体上の画像領域とに連続して発光させる強制発光を行う発光制御手段と、
前記ポリゴンミラーで反射して前記非画像領域で発光する光ビームを検出する検出手段と、
前記転写部材に電圧を印加して前記転写部材に流れる電流を検出する転写制御手段と、
を備える画像形成装置において、
前記転写制御手段は、前記強制発光により前記感光体に形成された被露光部が前記転写ニップ部にある間に、前記転写部材に電圧を印加して前記転写部材に流れる電流の電流値を検出して前記転写部材に印加する電圧の調整する工程と、前記調整によって得られる前記転写部材に印加した電圧の電圧値を所定の補正値に基づき補正することで基準転写電圧を得る工程と、を実行し、
前記所定の補正値は、前記感光体の前記被露光部が前記転写ニップ部にある時に前記転写部材に流れる電流の電流値に基づき前記調整を行って得られた電圧値と、前記感光体の前記感光体の露光されていない非露光部が前記転写ニップ部にある時に前記転写部材に流れる電流の電流値に基づき前記調整を行って得られた電圧値と、の差異を解消するための補正値であることを特徴とする画像形成装置。
【請求項２】
前記転写制御手段は、前記転写部材に電圧を印加した際に検出した前記転写部材に流れる電流の電流値を目標電流値となるよう前記転写部材に印加する電圧の調整し、前記電流値が目標電流値となる時に前記転写部材に印加した電圧の電圧値を補正することで前記基準転写電圧値を得ることを特徴とする請求項１に記載の画像形成装置。
【請求項３】
前記転写制御手段は、前記所定の補正値は環境に基づいて切り換えられることを特徴とする請求項１又は２に記載の画像形成装置。
【請求項４】
感光体と、
光ビームを発光する発光手段と、
回転しながら前記光ビームを反射して前記感光体の表面に照射することで、前記感光体の表面に前記光ビームを走査して帯電された感光体に静電潜像を形成させるポリゴンミラーと、
前記感光体と転写ニップ部を形成し、転写電圧を印加されることにより、前記静電潜像にトナーが付着することで前記感光体上に形成されたトナー像を前記転写ニップ部で前記感光体から被転写媒体に転写する転写部材と、
前記発光手段の発光を制御し、前記ポリゴンミラーで反射した前記光ビームを非画像領域と前記感光体上の画像領域とに連続して発光させる強制発光を行う発光制御手段と、
前記ポリゴンミラーで反射して前記非画像領域で発光する光ビームを検出する検出手段と、
前記転写部材に電圧を印加して前記転写部材に流れる電流を検出する転写制御手段と、
を備える画像形成装置において、
前記転写制御手段は、前記強制発光により前記感光体に形成された被露光部が前記転写ニップ部にある間に、前記転写部材に電圧を印加して前記転写部材に流れる電流を検出する工程と、該検出された電流値を、前記感光体の前記被露光部が前記転写ニップ部にある時に前記転写部材に流れる電流の電流値と前記感光体の露光されていない非露光部が前記転写ニップ部にある時に前記転写部材に流れる電流の電流値との差異を解消するべく補正する工程と、前記補正した電流値を用いて前記転写部材に印加する電圧を調整し、前記調整によって得られた前記転写部材に印加した電圧の電圧値を基準転写電圧とする工程と、を実行することを特徴とする画像形成装置。
【請求項５】
前記転写制御手段は、前記検出された電流値を補正した電流値が目標電流値となるよう前記転写部材に印加する電圧の調整し、該検出された電流値を補正した電流値が目標電流値となる時に前記転写部材に印加した電圧の電圧値を基準転写電圧値とすることを特徴とする請求４に記載の画像形成装置。
【請求項６】
前記転写制御手段は、所定の補正係数に基づいて前記電流値を補正し、前記所定の補正係数は環境に基づいて切り換えられることを特徴とする請求項５に記載の画像形成装置。
【請求項７】
前記基準転写電圧値は、前記被転写媒体に前記トナー像を転写する際に前記転写部材に印加する前記転写電圧の基準であることを特徴とする請求項１乃至６のいずれか一項に記載の画像形成装置。
【請求項８】
前記強制発光中に前記検出手段により検出される前記光ビームの検出周期に基づいて前記ポリゴンミラーの回転速度を制御する回転速度制御手段を有することを特徴とする請求項１乃至７のいずれか一項に記載の画像形成装置。
【手続補正２】
【補正対象書類名】明細書
【補正対象項目名】００１０
【補正方法】変更
【補正の内容】
【００１０】
本願発明における画像形成装置は、感光体と、光ビームを発光する発光手段と、回転しながら前記光ビームを反射して前記感光体の表面に照射することで、前記感光体の表面に前記光ビームを走査して帯電された感光体に静電潜像を形成させるポリゴンミラーと、前記感光体と転写ニップ部を形成し、転写電圧を印加されることにより、前記静電潜像にトナーが付着することで前記感光体上に形成されたトナー像を前記転写ニップ部で前記感光体から被転写媒体に転写する転写部材と、前記発光手段の発光を制御し、前記ポリゴンミラーで反射した前記光ビームを非画像領域と前記感光体上の画像領域とに連続して発光させる強制発光を行う発光制御手段と、前記ポリゴンミラーで反射して前記非画像領域で発光する光ビームを検出する検出手段と、前記転写部材に電圧を印加して前記転写部材に流れる電流を検出する転写制御手段と、を備える画像形成装置において、前記転写制御手段は、前記強制発光により前記感光体に形成された被露光部が前記転写ニップ部にある間に、前記転写部材に電圧を印加して前記転写部材に流れる電流の電流値を検出して前記転写部材に印加する電圧の調整する工程と、前記調整によって得られる前記転写部材に印加した電圧の電圧値を所定の補正値に基づき補正することで基準転写電圧を得る工程と、を実行し、前記所定の補正値は、前記感光体の前記被露光部が前記転写ニップ部にある時に前記転写部材に流れる電流の電流値に基づき前記調整を行って得られた電圧値と、前記感光体の前記感光体の露光されていない非露光部が前記転写ニップ部にある時に前記転写部材に流れる電流の電流値に基づき前記調整を行って得られた電圧値と、の差異を解消するための補正値であることを特徴とする。
また本願発明における画像形成装置は、感光体と、光ビームを発光する発光手段と、回転しながら前記光ビームを反射して前記感光体の表面に照射することで、前記感光体の表面に前記光ビームを走査して帯電された感光体に静電潜像を形成させるポリゴンミラーと、前記感光体と転写ニップ部を形成し、転写電圧を印加されることにより、前記静電潜像にトナーが付着することで前記感光体上に形成されたトナー像を前記転写ニップ部で前記感光体から被転写媒体に転写する転写部材と、前記発光手段の発光を制御し、前記ポリゴンミラーで反射した前記光ビームを非画像領域と前記感光体上の画像領域とに連続して発光させる強制発光を行う発光制御手段と、前記ポリゴンミラーで反射して前記非画像領域で発光する光ビームを検出する検出手段と、前記転写部材に電圧を印加して前記転写部材に流れる電流を検出する転写制御手段と、を備える画像形成装置において、前記転写制御手段は、前記強制発光により前記感光体に形成された被露光部が前記転写ニップ部にある間に、前記転写部材に電圧を印加して前記転写部材に流れる電流を検出する工程と、該検出された電流値を、前記感光体の前記被露光部が前記転写ニップ部にある時に前記転写部材に流れる電流の電流値と前記感光体の露光されていない非露光部が前記転写ニップ部にある時に前記転写部材に流れる電流の電流値との差異を解消するべく補正する工程と、前記補正した電流値を用いて前記転写部材に印加する電圧を調整し、前記調整によって得られた前記転写部材に印加した電圧の電圧値を基準転写電圧とする工程と、を実行することを特徴とする。